(57)【要約】【課題】簡単に衣服やテントなどに貼付して用いることができる費用対効果に優れた害虫忌避シール及びその製造方法を提供すること。【解決手段】台紙２０にその片面が接着剤で貼り付けられたシール１０を、液状の害虫忌避剤を含浸させてから加圧し、台紙２０から剥がされたシール１０の片面の接着剤により衣服等に貼付自在としたことを特徴とする害虫忌避シール５０。この発明において、シール１０に液状の害虫忌避剤を含浸させ加圧することを液状の害虫忌避剤を注ぎながら対向する二つのローラー３０、３０間に挟入・通過させて行うことができる。台紙にその片面が接着剤で貼り付けられたシールを、液状の害虫忌避剤を含浸させてから加圧して製造することを特徴とする害虫忌避シールの製造方法。【選択図】図２
2004210689.tif 000002
【特許請求の範囲】
【請求項１】
台紙にその片面が接着剤で貼り付けられたシールを、液状の害虫忌避剤を含浸させてから加圧し、台紙から剥がされたシールの片面の接着剤により衣服等に貼付自在としたことを特徴とする害虫忌避シール。
【請求項２】
シールに液状の害虫忌避剤を含浸させ加圧することが、液状の害虫忌避剤を注ぎながら対向する二つのローラー間に挟入・通過させて行うものであることを特徴とする請求項１記載の害虫忌避シール。
【請求項３】
害虫忌避剤が、植物精油のレモンユーカリである請求項１又は請求項２記載の害虫忌避シール。
【請求項４】
台紙にその片面が接着剤で貼り付けられたシールを、液状の害虫忌避剤を含浸させてから加圧して製造することを特徴とする害虫忌避シールの製造方法。
【請求項５】
シールに液状の害虫忌避剤を含浸させ加圧することが、液状の害虫忌避剤を注ぎながら対向する二つのローラー間に挟入・通過させて行うものであることを特徴とする請求項４記載の害虫忌避シールの製造方法。
【請求項６】
害虫忌避剤が植物精油のレモンユーカリである請求項４又は請求項５記載の害虫忌避シールの製造方法。
【発明の詳細な説明】
【０００１】
【発明の属する技術分野】
本発明は、害虫忌避剤を含浸させたシールを衣服やテントなどに簡単に貼付でき、蚊やブヨなどの害虫を忌避させる害虫忌避シール及びその製造方法に関する。
【０００２】
【従来の技術】
従来より、蚊やブヨなどによる被害を回避させるため、アウトドアブームと相俟って様々な害虫忌避剤が提供されている。従来、害虫忌避剤には、皮膚に噴霧するスプレー式のものや、皮膚に塗布するクリーム剤などがある。また、液体吸収発散剤を液体の害虫忌避剤に浸漬した液体蒸散害虫忌避剤が提案されている
（特許文献１参照）。
【０００３】
【特許文献１】特開２００１−３０２４０９号公報
【０００４】
【発明が解決しようとする課題】
しかしながら、スプレー式の害虫忌避剤は、肌荒れ、アトピー性皮膚炎など皮膚にとって好ましくない場合があった。また、クリーム剤についても同様であり、更に皮膚がベタベタするという不快感があった。一方、特許文献１に記載の液体蒸散害虫忌避剤は、この様な不都合がないものの、衣服やテントなどに貼付するには、面ファスナーなどを用いなければならない。そのため、貼付される衣服やテントなどにも面ファスナーの雄又は雌のいずれかを取り付けなければならず、適用できる対象は限定的で簡単に用いることができなかった。また、面ファスナーを用いるため、コストがかかるということがあった。
【０００５】
本発明は、上記事情に鑑みなされたもので、衣服やテントなどに簡単に貼付して用いることができる費用対効果に優れた害虫忌避シール及びその製造方法を提供することを課題とする。
【０００６】
【課題を解決するための手段】
本発明者らは、上記課題を解決するために鋭意検討を重ね、本発明を完成した。
すなわち、本発明は、台紙にその片面が接着剤で貼り付けられたシールを、液状の害虫忌避剤を含浸させてから加圧し、台紙から剥がされたシールの片面の接着剤により衣服等に貼付自在としたことを特徴とする害虫忌避シールを要旨とする。この発明において、シールに液状の害虫忌避剤を含浸させ加圧することを液状の害虫忌避剤を注ぎながら対向する二つのローラー間に挟入・通過させて行っても良い。また、これらの発明において、害虫忌避剤を植物精油のレモンユーカリとしても良い。
【０００７】
上記構成の発明によれば、シールに液状の害虫忌避剤を含浸させても台紙から自然に剥がれることがなく接着しているので、使用時に台紙からシールを剥がすことによりシールに付着する接着剤で衣服やテントなどに簡単に貼付させることができる。
【０００８】
また、本発明は、台紙にその片面が接着剤で貼り付けられたシールを、液状の害虫忌避剤を含浸させてから加圧して製造することを特徴とする害虫忌避シールの製造方法を要旨とする。この発明において、シールに液状の害虫忌避剤を含浸させ加圧することを液状の害虫忌避剤を注ぎながら対向する二つのローラー間に挟入・通過させて行っても良い。また、これらの発明において、害虫忌避剤を植物精油のレモンユーカリとしても良い。
【０００９】
【発明の実施の形態】
以下、本発明を実施の形態により図面を参照しながら詳細に説明する。
【００１０】
シール１０は、不織布により形成される。不織布の種類は、吸液性があるものであれば特に限定されず、パルプとポリプロピレン、ポリエステル、レーヨンなどの繊維を抄紙した湿式不織布でも、前記繊維を熱で接着したり、あるいは前記繊維をエアーと接着剤でパルプと接着した乾式不織布でも良い。台紙２０は、紙又はプラスチックフイルムなどで形成されるが、表面に光沢性のあるものが好ましい。シール１０の片面を接着剤で光沢性のある台紙２０に貼り付ければ、使用時に台紙２０からのシール１０の取り剥がしが容易となるからである。接着剤は、シール１０と台紙２０とを接着できるものであれば特に限定されない。また、シール１０に印刷を施し、装飾性を付与しても良い。
【００１１】
シール１０に含浸させる害虫忌避剤は、液状に処方できるものであれば特に限定されるものではなく、レモンユーカリ、Ｎ，Ｎ−ジエチル−ｍ−トルアミド（ディート）、ジメチルフタレート、２−エチル−１，３−ヘキジオール、α−ピネン、ゲラニオール、シトロネラール、カンファー、インドセダン等を例示できる。液状でない害虫忌避剤は、アルコールなどの溶剤を用い液状にして供することができる。シール１０に含浸させる害虫忌避剤は、４５ｍｇ〜１４０ｍｇ／ｃｍ２が好ましい。下限より少ないと十分な忌避効果を得られないことがあるからであり、上限を超えると匂いがきつくなり、また経済性が悪くなるからである。
【００１２】本実施形態の害虫忌避シール５０は、台紙２０に貼り付けられたシール１０に液状の害虫忌避剤を含浸させてから加圧して製造される。シール１０に液状の害虫忌避剤を含浸させるだけでは、シール１０が台紙２０から自然に剥がれてしまうことがあるので、これを加圧することにより余剰の害虫忌避剤を取り除くと共に台紙２０とシール１０との接着を強固にできるからである。液状の害虫忌避剤を含浸させてから加圧することは、液状の害虫忌避剤をシール１０に注ぎながらローラー３０、３０間に挟入・通過させることで行うこともできる。害虫忌避剤を含浸したシール１０は、二つのローラー３０、３０により加圧される。ローラー３０、３０は、手動により駆動しても、あるいはモータなどで駆動してもよい。
【００１３】
本実施形態の害虫忌避シール５０によれば、シール１０に含浸させる害虫忌避剤によっても異なるが、貼付箇所から少なくとも２０ｃｍ位の範囲まで有効に害虫を忌避できる。また、害虫忌避シール５０は、包装容器内に密閉することにより長期の使用が可能となる。
【００１４】
【実施例】
次いで、本発明を実施例を挙げて説明するが、本発明は以下の実施例により限定されるものではない。
【００１５】
縦１３ｃｍ、横９ｃｍ四方の台紙にパルプとポリプロピレンからなる半径１．９ｃｍの円形状の不織布で形成された６枚のシールを各々接着剤で貼り付け、市販のユーカリにプロピレングリコール、メチルパラベン及び香料を加えた害虫忌避剤を注ぎながら対向する二つのローラー間に挟入・通過させ、害虫忌避シールを製造した。害虫忌避シールには、約７５０ｍｇのレモンユーカリが含浸されていた。次いで、縦１．７ｍ、横１．７ｍ、高さ２．２ｍの部屋の中で蚊に対する忌避効果の比較実験を行った。部屋の温度を約２５度℃に保ち、血液と汗を十分に湿らせたガーゼ（１０ｃｍ角）を部屋の中心から０．５ｍ離れた床に等間隔に４枚置き、部屋の中心に蚊１０匹を入れた容器を置いて、蓋を開けた時にガーゼに何匹集まるかを比較例、実施例１及び実施例２について行った。
【００１６】
〔比較例〕害虫忌避シールを用いないで５回の実験を行った場合、結果は表１に示す通りであった。表１から明らかなように、２０分後には３匹〜４匹の蚊が集まった。表中の数字は、蚊の匹数である。
【００１７】
【表１】
2004210689.tif 000003
【００１８】
〔実施例１〕害虫忌避シールをガーゼの横の床に１枚ずつ（計４枚）貼付し５回の実験を行った場合、結果は表２に示す通りであった。表２から明らかなように、比較例に比べ、経時的にガーゼに集まる蚊の数は減少し、２０分後には０匹〜２匹が集まった。
【００１９】
【表２】
2004210689.tif 000004
【００２０】
〔実施例２〕害虫忌避シールをガーゼの横の床に２枚ずつ（計８枚）貼付し５回の実験を行った場合、結果は表３に示す通りであった。表３から明らかなように、比較例及び実施例１に比べ、経時的にガーゼに集まる蚊の数は減少し、２０分後には０匹〜１匹が集まった。
【００２１】
【表３】
2004210689.tif 000005
【００２２】
上記の実験では、一旦ガーゼに止まってから数分で飛び立ち、別の蚊が止まることもあったが、実施例では比較例よりガーゼに止まる蚊の数がかなり減少していること、また、害虫忌避シールの数を増やせば蚊の数が更に減少していることから、本発明の害虫忌避シールは十分な忌避効果を備えていた。なお、実験開始５分迄は、害虫忌避剤のレモンユーカリが十分に拡散していないため、血液や汗の匂いに誘き寄せられて来る蚊もいるようであったが、害虫忌避剤が拡散する１０分を過ぎると集まる蚊の数が減少していた。
【００２３】
【発明の効果】
本発明は、上記のように構成されるため、以下の効果を奏する。
本発明の害虫忌避シールによれば、接着剤により簡単に貼付させることができるので、衣服やテントなどに多数を貼付させてより効率的に害虫を忌避させることができる。また、衣服やテントなどに接着剤により簡単に貼付できるため、費用対効果に優れた害虫忌避シールを提供できる。
【００２４】
また、本発明の害虫忌避シールの製造方法によれば、接着剤で衣服やテントに簡単に貼付できる費用対効果に優れた害虫忌避シートを製造できる。
【図面の簡単な説明】
【図１】本実施形態の害虫忌避シールの平面図である。
【図２】本実施形態の害虫忌避シールを二つのローラー間に挟入・通過させて製造する説明図である。
【符号の説明】
１０      シール
２０      台紙
３０      ローラー
５０      害虫忌避シール
【図１】
2004210689.tif 000006
【図２】
2004210689.tif 000007